(57)【要約】  コネクタ（４０）は、回転軸（ＡＸ）に実質的に平行な軸方向（ＡＤ）に回転体（２０）から延伸する第１壁（４２０）を有し且つ内部に空間（Ｓ）を有するカバー（４２）と、ケーブル導線（３０）に電気的に接続され且つ空間（Ｓ）に配置される導体（４６）と、空間Ｓにおいてカバー（４２）に取り付けられ且つ導体（４６）を保持する保持部材（４８）と、を備える。保持部材（４８）は、第１壁（４２０において空間（Ｓの外に露出する露出部（４８６）を有する。カバー（４２）と保持部材（４８）は、異物が露出部（４８６）を介して空間（Ｓ）に侵入することを抑制する抑制構造（５０、５０Ａ、５０Ｂ、５０Ｃ）を有する。抑制構造（５０、５０Ａ、５０Ｂ、５０Ｃ）は、第１壁（４２０）に実質的に直交する方向（Ｄ１）に突出する第１凸部（５２０）と、第１凸部（５２０）に嵌合する第１凹部（５００）とを有する。
2019230563.tif 000002
【特許請求の範囲】
【請求項１】
固定体と、
回転軸周りに前記固定体に対して回転可能に前記固定体に組付けられた回転体と、
前記回転体に接続されたコネクタと、を備え、
前記コネクタは、
前記回転軸に実質的に平行な軸方向に前記回転体から延伸する第１壁を有し且つ内部に空間を有するカバーと、
ケーブル導線に電気的に接続され且つ前記空間に配置される導体と、
前記空間において前記カバーに取り付けられ且つ前記導体を保持する保持部材と、を備え、
前記保持部材は、前記第１壁において前記空間の外に露出する露出部を有し、
前記カバーと前記保持部材は、異物が前記露出部を介して前記空間に侵入することを抑制する抑制構造を有し、
前記抑制構造は、前記第１壁に実質的に直交する方向に突出する第１凸部と、前記第１凸部に嵌合する第１凹部とを有する
回転コネクタ装置。
【請求項２】
前記保持部材は、前記第１凹部を有し、
前記カバーは、前記第１凸部を有する
請求項１に記載の回転コネクタ装置。
【請求項３】
前記保持部材は、前記第１壁に実質的に直交する方向に凹んだ第２凹部を有し、
前記第１凹部および前記第２凹部は、前記第１壁に沿い且つ前記軸方向に実質的に直交する方向において、前記露出部を挟むように設けられ、
前記カバーは、前記第２凹部に嵌合する第２凸部を有する
請求項２に記載の回転コネクタ装置。
【請求項４】
前記第１凹部および前記第１凸部は、前記軸方向に前記回転体から延伸する
請求項２または３に記載の回転コネクタ装置。
【請求項５】
前記第２凹部および前記第２凸部は、前記軸方向に前記回転体から延伸する
請求項３に記載の回転コネクタ装置。
【請求項６】
前記カバーは、前記回転軸の径方向において前記第１壁と間隔を空けて配置された第２壁を有し、
前記第１壁は、前記径方向において前記第２壁より内側に設けられる
請求項１〜５のいずれか１項に記載の回転コネクタ装置。
【請求項７】
前記第１凹部は、前記第１壁に実質的に直交する方向に延伸する第１面と、前記第１壁に実質的に直交する方向に延伸する第２面と、前記軸方向に実質的に平行であり且つ前記第１面と前記第２面とを接続する第３面と、で構成され、
前記第１凸部は、前記第１壁に実質的に直交する方向に延伸する第４面と、前記第１壁に実質的に直交する方向に延伸する第５面と、前記軸方向に実質的に平行であり且つ前記第４面と前記第５面とを接続する第６面と、で構成され、
前記第１面は、前記第４面に当接し、
前記第２面は、前記第５面に当接し、
前記第３面は、前記第６面に当接する
請求項１〜６のいずれか１項に記載の回転コネクタ装置。
【請求項８】
前記第１壁に実質的に直交する方向における前記第１凸部の長さは、前記軸方向に直交し且つ前記第１壁に沿う方向における前記露出部の長さの１／５より大きい
請求項１〜７のいずれかに記載の回転コネクタ装置。
【請求項９】
回転軸周りに固定体に対して回転可能に前記固定体に組付けられた環状部材と、
前記環状部材に接続されたコネクタと、を備え、
前記コネクタは、
前記回転軸に実質的に平行な軸方向に前記環状部材から延伸する第１壁を有し且つ内部に空間を有するカバーと、
ケーブル導線に電気的に接続され且つ前記空間に配置される導体と、
前記空間において前記カバーに取り付けられ且つ前記導体を保持する保持部材と、を備え、
前記保持部材は、前記第１壁において前記空間の外に露出する露出部を有し、
前記カバーと前記保持部材は、異物が前記露出部を介して前記空間に侵入することを抑制する抑制構造を有し、
前記抑制構造は、前記第１壁に実質的に直交する方向に突出する第１凸部と、前記第１凸部に嵌合する第１凹部とを有する
回転コネクタ装置の回転体。
【発明の詳細な説明】
【技術分野】
【０００１】
本願に開示される技術は、回転コネクタ装置および回転コネクタ装置の回転体に関する。
【背景技術】
【０００２】
固定体と、固定体に対して回転可能に固定体に組付けられ且つコネクタ部を有する回転体と、を備える回転コネクタ装置が知られている（例えば、特許文献１を参照）。
【先行技術文献】
【特許文献】
【０００３】
【特許文献１】特開２００４−２２２３６９号公報
【発明の概要】
【発明が解決しようとする課題】
【０００４】
特許文献１に開示された回転コネクタ装置では、回転体のコネクタ部の内部に設けられた導体に異物が付着する可能性がある。【０００５】
そこで、本願に開示される技術の課題は、回転コネクタ装置の耐環境性を高めることにある。
【課題を解決するための手段】
【０００６】
本願の第１の特徴に係る回転コネクタ装置は、固定体と、回転軸周りに固定体に対して回転可能に固定体に組付けられた回転体と、回転体に接続されたコネクタと、を備える。コネクタは、回転軸に実質的に平行な軸方向に回転体から延伸する第１壁を有し且つ内部に空間を有するカバーと、ケーブル導線に電気的に接続され且つ空間に配置される導体と、空間においてカバーに取り付けられ且つ導体を保持する保持部材と、を備える。保持部材は、第１壁において空間の外に露出する露出部を有する。カバーと保持部材は、異物が露出部を介して空間に侵入することを抑制する抑制構造を有する。抑制構造は、第１壁に実質的に直交する方向に突出する第１凸部と、第１凸部に嵌合する第１凹部とを有する。【０００７】
なお、保持部材は、第１凹部を有し、カバーは、第１凸部を有してもよい。【０００８】
この構成によれば、露出部から空間に至る侵入経路は、第１壁に実質的に直交する方向において長くなる。従って、この構成では、空間に異物が侵入することが抑制される。なお、異物とは、例えば、水といった流体や、埃といった粉体である。【０００９】
また、保持部材は、第１壁に実質的に直交する方向に凹んだ第２凹部を有し、第１凹部および第２凹部は、第１壁に沿い且つ軸方向に実質的に直交する方向において、露出部を挟むように設けられ、カバーは、第２凹部に嵌合する第２凸部を有してもよい。【００１０】
この構成では、露出部を挟むように抑制構造が設けられるので、空間に異物が侵入することが効果的に抑制される。【００１１】
また、第１凹部および第１凸部は、軸方向に回転体から延伸してもよい。【００１２】
この構成では、第１凹部および第１凸部を有する抑制構造が回転体に接している。従って、異物が回転体の表面に溜まったとしても、その異物が露出部を介して空間に侵入することが抑制される。【００１３】
また、第２凹部および第２凸部は、軸方向に回転体から延伸してもよい。【００１４】
この構成では、第２凹部および第２凸部を有する抑制構造が回転体に接している。従って、異物が回転体の表面に溜まったとしても、その異物が露出部を介して空間に侵入することが抑制される。【００１５】
また、カバーは、回転軸の径方向において第１壁と間隔を空けて配置された第２壁を有し、第１壁は、径方向において第２壁より内側に設けられてもよい。【００１６】
この構成では、回転軸の径方向において外側から到来する異物が、露出部が存在する第１壁に到達しにくい。従って、この構成では、異物が露出部を介して空間に侵入することが抑制される。【００１７】
また、第１凹部は、第１壁に実質的に直交する方向に延伸する第１面と、第１壁に実質的に直交する方向に延伸する第２面と、軸方向に実質的に平行であり且つ第１面と第２面とを接続する第３面と、で構成され、第１凸部は、第１壁に実質的に直交する方向に延伸する第４面と、第１壁に実質的に直交する方向に延伸する第５面と、軸方向に実質的に平行であり且つ第４面と第５面とを接続する第６面と、で構成され、第１面は、第４面に当接し、第２面は、第５面に当接し、第３面は、第６面に当接してもよい。【００１８】
この構成では、第１凸部と第１凹部が面接触しているので、露出部から空間に至る侵入経路は狭くなっている。従って、この構成は、異物が空間に侵入することを効果的に抑制する。【００１９】
また、第１壁に実質的に直交する方向における第１凸部の長さは、軸方向に直交し且つ第１壁に沿う方向における露出部の長さの１／５より大きくてもよい。【００２０】
この構成では、露出部から空間に至る侵入経路を長くするので、異物の空間への侵入が効果的に抑制される。【００２１】
本願の第２の特徴に係る回転コネクタ装置の回転体は、回転軸周りに固定体に対して回転可能に固定体に組付けられた環状部材と、環状部材に接続されたコネクタと、を備える。コネクタは、回転軸に実質的に平行な軸方向に環状部材から延伸する第１壁を有し且つ内部に空間を有するカバーと、ケーブル導線に電気的に接続され且つ空間に配置される導体と、空間においてカバーに取り付けられ且つ導体を保持する保持部材と、を備える。保持部材は、第１壁において空間の外に露出する露出部を有し、カバーと保持部材は、異物が露出部を介して空間に侵入することを抑制する抑制構造を有する。抑制構造は、第１壁に実質的に直交する方向に突出する第１凸部と、第１凸部に嵌合する第１凹部とを有する。【００２２】
この構成によれば、露出部から空間に至る侵入経路は、第１壁に実質的に直交する方向において、長くなる。従って、この構成では、空間に異物が侵入することが抑制される。
【発明の効果】
【００２３】
本願に開示される技術であれば、回転コネクタ装置の耐環境性を高めることができる。
【図面の簡単な説明】
【００２４】
【図１】図１は、実施形態に係る回転コネクタ装置の斜視図である。
【図２】図２は、固定体から回転体を取り外し且つコネクタから保持部材を取り外した分解斜視図である。
【図３】図３は、導電ケーブルの接続を示すための保持部材の側面図である。
【図４】図４は、保持部材の取り付けを示すための回転体の斜視図である。
【図５】図５は、抑制構造を示すためのコネクタを断面した断面図である。
【図６】図６は、抑制構造を示すためのコネクタを断面した断面図の拡大図である。
【図７】図７は、抑制構造の変形例１に係る抑制構造を示すための断面図である。
【図８】図８は、抑制構造の変形例２に係る抑制構造を示すための断面図である。
【図９】図９は、抑制構造の変形例３に係る抑制構造を示すための断面図である。
【発明を実施するための形態】
【００２５】
以下、実施形態について図面を参照しながら説明する。図中において同じ符号は、対応するまたは同一の構成を示している。
＜回転コネクタ装置の概要＞
図１は、実施形態に係る回転コネクタ装置１００の斜視図である。図２は、固定体１０から回転体２０を取り外し且つコネクタ４０から保持部材４８を取り外した分解斜視図である。
【００２６】
図１および図２に示すように、回転コネクタ装置１００は、固定体１０と回転体２０とを備えている。回転体２０は、回転軸ＡＸ周りに固定体１０に対して回転可能に、固定体１０に組付けられている。回転体２０が固定体１０に組付けられた状態において、固定体１０と回転体２０との間には、収容空間ＡＳが規定される。
【００２７】
図２の点線に示すように、ケーブル導線３０は、収容空間ＡＳに配置される。ケーブル導線３０は、固定体１０と回転体２０との間に接続される。ケーブル導線３０は、固定体１０と回転体２０との間で伝送経路を構成する。
【００２８】
回転コネクタ装置１００は、例えば、本体と、本体に対して回転可能な操舵部とを備えた移動体（例えば自動車）に用いられる。具体的には、固定体１０は、移動体の本体に取り付けられる。回転体２０は、操舵部に取り付けられる。ケーブル導線３０の一端は、操舵部に設けられた電気機器（例えばスイッチ）に電気的に接続される。ケーブル導線３０の他端は、移動体の本体に設けられた電気機器に電気的に接続される。これにより、回転コネクタ装置１００は、移動体の本体に設けられた電気機器と操舵部に設けられた電気機器との間で電力または電気的信号を送受信する。ただし、回転コネクタ装置１００は、移動体以外にも用いられてもよい。
＜固定体の構成＞
図１および図２に示すように、固定体１０は、第１固定体部１２と第２固定体部１４とを備えている。第２固定体部１４は、第１固定体部１２の上に配置された状態で、第１固定体部１２と結合している。第１固定体部１２は、固定体１０の底部１０ｂを構成する。第２固定体部１４は、固定体１０の側壁１０ｌを構成する。
【００２９】
図２に示すように、第１固定体部１２は、回転軸ＡＸに実質的に平行な軸方向ＡＤに回転コネクタ装置１００を見たときに、リング形状を有する。第１固定体部１２は、回転軸ＡＸが第１固定体部１２の中心を通過するように配置される。第２固定体部１４は、第２固定体部１４の中空部１４ａが軸方向ＡＤに延伸する筒形状を有している。第２固定体部１４は、軸方向ＡＤに第１固定体部１２の外周１２ａから上方に延伸している。
＜回転体の構成＞
回転体２０は、環状部材２００と、内周筒部２１０と、を備えている。環状部材２００は、回転コネクタ装置１００を軸方向ＡＤに見たときに、リング形状を有する。環状部材２００は、ケーブル導線３０が通過する開口２０２（図４を参照）を有している。環状部材２００は、回転軸ＡＸが環状部材２００の中心を通過するように配置される。内周筒部２１０は、内周筒部２１０の中空部２１０ａが軸方向ＡＤに延伸するように配置される。内周筒部２１０は、環状部材２００の内周２００ａから軸方向ＡＤに沿って下方に延びている。内周筒部２１０は、回転軸ＡＸの径方向において、筒形状の第２固定体部１４の内側に配置される。これにより、ケーブル導線３０が配置される収容空間ＡＳは、第１固定体部１２、第２固定体部１４、環状部材２００、および内周筒部２１０によって規定されている。換言すれば、ケーブル導線３０が配置される収容空間ＡＳは、第２固定体部１４の中空部１４ａから内周筒部２１０の中空部２１０ａを除いた空間に等しい。
【００３０】
本実施形態では、内周筒部２１０が回転体２０に設けられている。しかし、収容空間ＡＳを規定するために、内周筒部２１０は、固定体１０に設けられてもよい。また、本実施形態では、回転コネクタ装置１００は、中空部２１０ａを有する形状であったが、回転コネクタ装置１００は、中空部２１０ａを有さなくてもよい。
＜コネクタの構成＞
図１に示すように、回転コネクタ装置１００は、回転体２０側のコネクタ４０と固定体１０側のコネクタ４９とを備える。
【００３１】
コネクタ４０は、回転体２０に接続されている。コネクタ４０は、カバー４２と、端子４４と、を有する。カバー４２は、軸方向ＡＤに環状部材２００から上方へ延伸している。カバー４２は、内部に空間Ｓを有する。空間Ｓは、軸方向ＡＤにおける上方で開放している。環状部材２００の開口２０２（図４を参照）は、軸方向ＡＤにおける下方で空間Ｓを開放させている。端子４４は、空間Ｓに配置されている。すなわち、端子４４は、カバー４２に覆われている。端子４４は、後述する導体４６（図３を参照）を介してケーブル導線３０の一端３０ａに電気的に接続される。本実施形態では、端子４４は、複数のピンを有しているが、端子４４の構成はこれに限らない。
【００３２】
より具体的には、カバー４２は、第１壁４２０と、第２壁４２２と、第３壁４２４と、第４壁４２６と、を有している。第１壁４２０と第２壁４２２は、回転軸ＡＸの径方向において間隔を空けて配置されている。本実施形態では、第１壁４２０と第２壁４２２は、方向Ｄ１において間隔を空けて配置されている。第１壁４２０は、回転軸ＡＸの径方向において第２壁４２２の外側に設けられている。第１壁４２０と第２壁４２２は、方向Ｄ１（回転軸ＡＸの径方向の一例）に直交する方向Ｄ２に沿って延伸している。第３壁４２４と第４壁４２６は、第１壁４２０と第２壁４２２を接続している。第３壁４２４と第４壁４２６は、第１壁４２０と第２壁４２２が間隔を空けて配置される方向Ｄ１に沿って延伸している。ただし、カバー４２の構成は、これに限らない。カバー４２は、少なくとも、内部に空間Ｓを有し、且つ軸方向ＡＤに沿って環状部材２００から上方に延伸する第１壁４２０を備えればよい。
【００３３】
図１に示すように、固定体１０側のコネクタ４９は、固定体１０に接続されている。本実施形態では、コネクタ４９は、回転軸ＡＸの径方向において固定体１０の外側に配置されているが、コネクタ４９は、軸方向ＡＤにおいて固定体１０の下方に配置されてもよい。コネクタ４９は、ケーブル導線３０の他端に電気的に接続される端子を有する。
＜保持部材の構成＞
図３は、ケーブル導線３０の接続を説明するための、保持部材４８の側面図である。ただし、図３は、本体部４８０から保持部４８２を取り外した状態の保持部材４８の側面を図示している。
【００３４】
コネクタ４０は、ケーブル導線３０の一端３０ａと端子４４との間の電気的な接続のために、導体４６を備えている。導体４６は、端子４４と電気的に接続されている。本実施形態では、導体４６は、複数のバスバーを有しているが、これに限らない。
【００３５】
コネクタ４０は、導体４６を保持するために、保持部材４８を備えている。保持部材４８は、本体部４８０と、保持部４８２とを備えている。本体部４８０と保持部４８２は、着脱可能である。保持部４８２は、端子４４と導体４６を保持している。端子４４は、軸方向ＡＤにおいて保持部４８２から延伸している。導体４６は、軸方向ＡＤに実質的に直交する方向において保持部４８２から露出している。図３に示すように、保持部４８２が本体部４８０から取り外された状態で、導体４６は、ケーブル導線３０の一端３０ａに接続される。保持部４８２は、ケーブル導線３０の一端３０ａが接続された状態で、本体部４８０に装着される。
【００３６】
本体部４８０は、保持部４８２が装着された状態で、空間Ｓにおいてコネクタ４０に取り付けられる。これにより、導体４６は、空間Ｓに配置される。
【００３７】
より具体的には、保持部材４８の本体部４８０は、嵌合部４８４を有する。図４に示すように、カバー４２は、空間Ｓに設けられた被嵌合部４２Ｅを有する。軸方向ＡＤに沿って嵌合部４８４が被嵌合部４２Ｅに嵌合することにより、保持部材４８は、空間Ｓにおいてカバー４２に取り付けられる。ただし、保持部材４８のカバー４２への取り付けは、この構造に限らない。
【００３８】
本体部４８０は、保持部材４８がカバー４２に取り付けられた状態で、空間Ｓの外に露出する露出部４８６を有する。図１に示すように、露出部４８６は、第１壁４２０において軸方向ＡＤに沿って環状部材２００から上方に延伸している。
＜抑制構造＞
図５は、抑制構造５０を説明するためのコネクタ４０を断面した断面図である。ただし、図５の断面図は、コネクタ４０を軸方向ＡＤに直交する平面で断面したものである。図６は、図５の断面図の拡大図である。ただし、図６は、説明のために、カバー４２と保持部材４８とが離れた状態を図示している。
【００３９】
カバー４２と保持部材４８は、異物が露出部４８６を介して空間Ｓに侵入することを抑制する抑制構造５０を有している。図５に示すように、抑制構造５０は、第１凹部５００と、第２凹部５１０と、第１凸部５２０と、第２凸部５３０と、を有している。本実施形態では、保持部材４８の本体部４８０が第１凹部５００と第２凹部５１０とを有し、カバー４２が第１凸部５２０と第２凸部５３０とを有している。
【００４０】
第１凸部５２０および第２凸部５３０は、第１壁４２０に直交する方向Ｄ１に沿って第１壁４２０から空間Ｓに向かって突出している。第１凸部５２０と第２凸部５３０は、第１壁４２０に沿い且つ方向Ｄ１に直交する方向Ｄ２において露出部４８６を挟むように設けられている。第１凹部５００および第２凹部５１０は、方向Ｄ１に沿って空間Ｓに向かって凹んでいる。第１凸部５２０は、第１凹部５００に嵌合している。第２凸部５３０は、第２凹部５１０に嵌合している。これにより、露出部４８６から空間Ｓに至る侵入経路は、迷路構造（ラビリンス構造）となっている。すなわち、露出部４８６から空間Ｓに至る侵入経路は、抑制構造５０が設けられない場合と比べて、方向Ｄ１において長くなっている。
【００４１】
図６に示すように、方向Ｄ１における第１凸部５２０の長さＬ１は、方向Ｄ２における露出部４８６の長さＬ２の１／５より大きい。また、長さＬ１は、方向Ｄ２における第１凸部５２０の長さＬ３よりも大きい。本実施形態では、長さＬ１は、長さＬ２の１／２より大きく、長さＬ３の２倍以上である。長さＬ１が大きければ大きいほど侵入経路が長くなるので、異物の侵入を抑制する効果は高くなる。また、長さＬ１が大きければ大きいほどカバー４２と保持部材４８の間の嵌合強度が高まり、歪が生じにくくなる。従って、長さＬ１が大きければ大きいほど、歪が生じて露出部４８６に異物が入り込むことが抑制される。
【００４２】
第１凹部５００、第２凹部５１０、第１凸部５２０、および第２凸部５３０は、軸方向ＡＤに沿って、環状部材２００から上方へ延伸している。本実施形態では、軸方向ＡＤにおける第１凸部５２０の長さＬ４（図２を参照）は、軸方向ＡＤにおける露出部４８６の長さＬ５の１／２より大きい。本実施形態では、長さＬ４は、長さＬ５と実質的に同じである。これにより、異物の侵入を抑制する効果は高まっている。さらに、長さＬ４が大きいので、カバー４２と保持部材４８の間の嵌合強度も高まっている。
【００４３】
ただし、図１に示すように、軸方向ＡＤにおける第１凹部５００、第２凹部５１０、第１凸部５２０、および第２凸部５３０の各上端は、軸方向ＡＤにおける第１壁４２０の上端にまで到達していない。軸方向ＡＤにおける第１凹部５００、第２凹部５１０、第１凸部５２０、および第２凸部５３０の各上端は、カバー４２の上端部４２８に覆われている。これにより、第１凹部５００および第１凸部５２０の隙間、並びに第２凹部５１０および第２凸部５３０の隙間が上端部４２８から露出していない。従って、これら隙間から異物が空間Ｓに侵入することがない。
【００４４】
第１凹部５００は、第１面５０２と第２面５０４と第３面５０６とを有している。第１面５０２および第２面５０４は、方向Ｄ１に延伸している。第３面５０６は、軸方向ＡＤに平行であり且つ第１面５０２と第２面５０４とを接続している。第１凸部５２０は、第４面５２２と第５面５２４と第６面５２６とを有している。第４面５２２および第５面５２４は、方向Ｄ１に延伸している。第６面５２６は、軸方向ＡＤに平行であり且つ第４面５２２と第５面５２４とを接続している。第１面５０２は、第４面５２２に当接する。第２面５０４は、第５面５２４に当接する。第３面５０６は、第６面５２６に当接する。これにより、露出部４８６から空間Ｓに至る侵入経路は、抑制構造５０が設けられない場合に比べて、狭くなる。
＜変形例１＞
次に、抑制構造５０の変形例１に係る抑制構造５０Ａについて、図７を用いて説明する。図７は、コネクタ４０の断面図である。図７に示すように、抑制構造５０Ａは、第２凹部５１０と第２凸部５３０を有さない点において、抑制構造５０と相違する。
【００４５】
ただし、抑制構造は、抑制構造５０Ａと異なり、第１凹部５００と第１凸部５２０とを有さず、第２凹部５１０と第２凸部５３０を有してもよい。また、抑制構造は、方向Ｄ２において第１凹部５００および第１凸部５２０に隣接する追加の凹部および追加の凸部を有してもよい。凹部および凸部の数が増えれば増えるほど、侵入経路は、方向Ｄ１において長くなる。
＜変形例２＞
次に、抑制構造５０の変形例２に係る抑制構造５０Ｂについて、図８を用いて説明する。図８は、コネクタ４０の断面図である。図８に示すように、抑制構造５０Ｂは、回転軸ＡＸの径方向において第１壁４２０Ｂが第２壁４２２Ｂの内側に設けられる点において、抑制構造５０と相違する。従って、露出部４８６Ｂは、回転軸ＡＸの径方向において、第２壁４２２Ｂの内側に設けられる。
【００４６】
また、第１壁は、上述の実施形態および変形例１〜３の構成に限らない。例えば、第１壁は、回転軸ＡＸの径方向に延伸してもよい。すなわち、露出部および抑制構造は、回転軸ＡＸの径方向に延伸する第１壁に設けられてもよい。
＜変形例３＞
次に、変形例３に係る抑制構造５０Ｃについて、図９を用いて説明する。図９は、コネクタ４０の断面図である。図９に示すように、抑制構造５０Ｃは、第１凹部５００と第２凹部５１０とを有するカバー４２Ｃと、第１凸部５２０と第２凸部５３０を有する保持部材４８Ｃとを有する点において、抑制構造５０と相違する。すなわち、第１凹部および第１凸部の一方が、カバーに設けられ、第１凹部および第１凸部の他方が保持部材に設けられればよい。同様に、第２凹部および第２凸部の一方が、カバーに設けられ、第２凹部および第２凸部の他方が保持部材に設けられればよい。
＜実施形態および変形例の特徴＞
以下に、回転コネクタ装置１００の構成と回転コネクタ装置１００の特徴をまとめる。
【００４７】
回転コネクタ装置１００は、固定体１０と、回転軸ＡＸ周りに固定体１０に対して回転可能に固定体１０に組付けられた回転体２０と、回転体２０に接続されたコネクタ４０と、を備える。コネクタ４０は、回転軸ＡＸに実質的に平行な軸方向ＡＤに回転体２０から延伸する第１壁４２０を有し且つ内部に空間Ｓを有するカバー４２と、ケーブル導線３０に電気的に接続され且つ空間Ｓに配置される導体４６と、空間Ｓにおいてカバー４２に取り付けられ且つ導体４６を保持する保持部材４８と、を備える。保持部材４８は、第１壁４２０において空間Ｓの外に露出する露出部４８６を有する。カバー４２と保持部材４８は、異物が露出部４８６を介して空間Ｓに侵入することを抑制する抑制構造５０、５０Ａ、５０Ｂ、５０Ｃを有する。抑制構造５０、５０Ａ、５０Ｂ、５０Ｃは、第１壁４２０に実質的に直交する方向Ｄ１に突出する第１凸部５２０と、第１凸部５２０に嵌合する第１凹部５００とを有する。
【００４８】
なお、保持部材４８は、第１凹部５００を有し、カバー４２は、第１凸部５２０を有してもよい。
【００４９】
この構成によれば、露出部４８６から空間Ｓに至る侵入経路は、方向Ｄ１において長くなる。従って、この構成では、空間Ｓに異物が侵入することが抑制される。なお、異物とは、例えば、水といった流体や、埃といった粉体である。
【００５０】
また、保持部材４８は、第１壁４２０に実質的に直交する方向Ｄ１に凹んだ第２凹部５１０を有し、第１凹部５００および第２凹部５１０は、第１壁４２０に沿い且つ軸方向ＡＤに実質的に直交する方向Ｄ２において、露出部４８６を挟むように設けられ、カバー４２は、第２凹部５１０に嵌合する第２凸部５３０を有してもよい。
【００５１】
この構成では、露出部４８６を挟むように抑制構造５０、５０Ｂ、５０Ｃが設けられるので、空間Ｓに異物が侵入することが効果的に抑制される。
【００５２】
また、第１凹部５００および第１凸部５２０は、軸方向ＡＤに回転体２０から延伸してもよい。
【００５３】
この構成では、第１凹部５００および第１凸部５２０を有する抑制構造５０、５０Ａ、５０Ｂ、５０Ｃが回転体２０に接している。従って、異物が回転体２０の表面（上面２００ｕ）に溜まったとしても、その異物が露出部４８６を介して空間Ｓに侵入することが抑制される。
【００５４】
また、第２凹部５１０および第２凸部５３０は、軸方向ＡＤに回転体２０から延伸してもよい。
【００５５】
この構成では、第２凹部５１０および第２凸部５３０を有する抑制構造５０，５０Ｂ、５０Ｃが回転体２０に接している。従って、異物が回転体２０の表面（上面２００ｕ）に溜まったとしても、その異物が露出部４８６を介して空間Ｓに侵入することが抑制される。
【００５６】
また、カバー４２は、第２壁４２２Ｂを有し、第１壁４２０Ｂおよび第２壁４２２Ｂは、回転軸ＡＸの径方向において間隔を空けて配置され、第１壁４２０Ｂは、径方向において第２壁４２２Ｂより内側に設けられてもよい。
【００５７】
この構成では、回転軸ＡＸの径方向において外側から到来する異物が、露出部４８６Ｂが存在する第１壁４２０Ｂに到達しにくい。従って、この構成では、異物が露出部４８６Ｂを介して空間Ｓに侵入することが抑制される。
【００５８】
また、第１凹部５００は、第１壁４２０に実質的に直交する方向Ｄ１に延伸する第１面５０２と、第１壁４２０に実質的に直交する方向Ｄ１に延伸する第２面５０４と、軸方向ＡＤに実質的に平行であり且つ第１面５０２と第２面５０４とを接続する第３面５０６と、で構成され、第１凸部５２０は、第１壁４２０に実質的に直交する方向Ｄ１に延伸する第４面５２２と、第１壁４２０に実質的に直交する方向Ｄ１に延伸する第５面５２４と、軸方向ＡＤに実質的に平行であり且つ第４面５２２と第５面５２４とを接続する第６面５２６と、で構成され、第１面５０２は、第４面５２２に当接し、第２面５０４は、第５面５２４に当接し、第３面５０６は、第６面５２６に当接してもよい。
【００５９】
この構成では、第１凸部５２０と第１凹部５００が面接触しているので、露出部４８６から空間Ｓに至る侵入経路は狭くなっている。従って、この構成は、異物が空間Ｓに侵入することを効果的に抑制する。
【００６０】
また、第１壁４２０に実質的に直交する方向Ｄ１における第１凸部５２０の長さＬ１は、軸方向ＡＤに直交し且つ第１壁４２０に沿う方向Ｄ２における露出部４８６の長さＬ２の１／５より大きくてもよい。
【００６１】
この構成では、露出部４８６から空間Ｓに至る侵入経路を長くするので、異物の空間Ｓへの侵入が効果的に抑制される。
【００６２】
また、回転体２０は、回転軸ＡＸ周りに固定体１０に対して回転可能に固定体１０に組付けられた環状部材２００と、環状部材２００に接続されたコネクタ４０と、を備える。コネクタ４０は、回転軸ＡＸに実質的に平行な軸方向ＡＤに環状部材２００から延伸する第１壁４２０を有し且つ内部に空間Ｓを有するカバー４２と、ケーブル導線３０に電気的に接続され且つ空間Ｓに配置される導体４６と、空間Ｓにおいてカバー４２に取り付けられ且つ導体４６を保持する保持部材４８と、を備える。保持部材４８は、第１壁４２０において空間Ｓの外に露出する露出部４８６を有し、カバー４２と保持部材４８は、異物が露出部４８６を介して空間Ｓに侵入することを抑制する抑制構造５０、５０Ａ、５０Ｂ、５０Ｃを有する。抑制構造５０、５０Ａ、５０Ｂ、５０Ｃは、第１壁４２０に実質的に直交する方向Ｄ１に突出する第１凸部５２０と、第１凸部５２０に嵌合する第１凹部５００とを有する。
【００６３】
この構成によれば、露出部４８６から空間Ｓに至る侵入経路は、方向Ｄ１において長くなる。従って、この構成では、空間Ｓに異物が侵入することが抑制される。
【００６４】
なお、本願においては、「備えている」およびその派生語は、構成要素の存在を説明する非制限用語であり、記載されていない他の構成要素の存在を排除しない。これは、「有している」、「含んでいる」およびそれらの派生語にも適用される。
【００６５】
本願において、「第１」や「第２」などの序数は、単に構成を識別するための用語であって、他の意味（例えば特定の順序など）は有していない。例えば、「第１要素」があるからといって「第２要素」が存在していることを暗に意味しているわけではなく、また「第２要素」があるからといって「第１要素」が存在していることを暗に意味しているわけではない。
【００６６】
また、本開示における「平行」「直交」および「一致」の表現は、厳密に解釈されるべきではなく、「実質的な平行」「実質的な直交」および「実質的な一致」の意味をそれぞれ含む。また、その他の配置に関する表現も、厳密に解釈されるものではない。
【００６７】
上記の開示内容から考えて、本発明の種々の変更や修正が可能であることは明らかである。したがって、本発明の趣旨を逸脱しない範囲で、本願の具体的な開示内容とは別の方法で本発明が実施されてもよい。
【符号の説明】
【００６８】
１００                      ：回転コネクタ装置
１０                        ：固定体
２０                        ：回転体
３０                        ：ケーブル導線
４０                        ：（回転体側の）コネクタ
４２、４２Ｃ                ：カバー
４２０、４２０Ｂ            ：第１壁
４２２、４２２Ｂ            ：第２壁
４２４                      ：第３壁
４２６                      ：第４壁
４４                        ：端子
４６                        ：導体
４８                        ：保持部材
４９                        ：（固定体側の）コネクタ
５０、５０Ａ、５０Ｂ、５０Ｃ       ：抑制構造
５００                      ：第１凹部
５１０                      ：第２凹部
５２０                      ：第１凸部
５３０                      ：第２凸部
【図１】
2019230563.tif 000003
【図２】
2019230563.tif 000004
【図３】
2019230563.tif 000005
【図４】
2019230563.tif 000006
【図５】
2019230563.tif 000007
【図６】
2019230563.tif 000008
【図７】
2019230563.tif 000009
【図８】
2019230563.tif 000010
【図９】
2019230563.tif 000011
【国際調査報告】
2019230563.tif 000012
2019230563.tif 000013
2019230563.tif 000014